(57)【要約】【課題】  デジタルカメラの小型化を図る。【解決手段】  デジタルカメラの底面に配設される蓋ユニット３０を構成する外蓋１２、蓋支持板に、それぞれ開口部を形成する。デジタルカメラ内部に装着される２次電池の充電時、デジタルカメラをクレードルにマウントする際、クレードル端子１３はクレードルのコネクタに接続される。クレードル端子１３を外蓋１２の開口部１２Ａ内に配置する。【選択図】        図６
2006078801.tif 000002
【特許請求の範囲】
【請求項１】
デジタルカメラ内に着脱自在に装着される内部部品を収納する収納スペースの、前記内部部品の出入口に開閉可能に設けられる蓋ユニットと、
前記蓋ユニットに形成される開口領域とを備え、
前記内部部品と周辺機器とを接続するための接続手段が前記開口領域内に位置するよう設けられることを特徴とするデジタルカメラ。
【請求項２】
前記蓋ユニットは、
前記開口領域の周縁部近傍においてデジタルカメラの筐体に回転可能に支持される回転板部材と、
前記回転板部材に摺動可能に取り付けられ、前記回転板部材の回転に応じて前記出入り口を覆うよう位置決めされるとき、前記筐体において前記蓋ユニットが設けられる側面と同一平面を形成する外蓋部材とを有することを特徴とする請求項１に記載のデジタルカメラ。
【請求項３】
前記開口領域は、前記回転板部材に形成された第１の開口部と、前記外蓋部材に形成された第２の開口部とで構成されることを特徴とする請求項２に記載のデジタルカメラ。
【請求項４】
前記第１及び第２の開口部は、前記蓋ユニットと前記筐体との係合状態を解除するために前記回転板部材に設けられるロック解除部材を回避する位置に形成されることを特徴とする請求項３に記載のデジタルカメラ。
【請求項５】
前記内部部品は２次電池であり、前記周辺機器は当該２次電池を充電するためのクレードルであり、前記接続手段は、前記クレードルに設けられるコネクタと嵌合する接続端子であることを特徴とする請求項１乃至４のいずれかに記載のデジタルカメラ。
【請求項６】
前記蓋ユニットはデジタルカメラの底面に設けられることを特徴とする請求項１乃至４のいずれかに記載のデジタルカメラ。
【請求項７】
前記接続端子は、前記筐体内に配設される回路基板に接続され、
前記回路基板は、前記デジタルカメラ内において着脱可能な記憶媒体と前記２次電池との間に配置されることを特徴とする請求項５に記載のデジタルカメラ。
【発明の詳細な説明】
【技術分野】
【０００１】
本発明は、デジタルカメラと周辺機器との接続の構成に関し、例えば、着脱自在に装着される２次電池の充電をクレードルで行うことができるデジタルカメラに関する。
【背景技術】
【０００２】
従来、デジタルカメラの電力供給に、デジタルカメラに着脱自在に装着される２次電池が用いられている。２次電池の充電は、２次電池をデジタルカメラに装着したままの状態で、そのデジタルカメラをクレードルに接続することにより行われる。一般的には、デジタルカメラの外観を考慮してデジタルカメラ側に凹形状の接続端子が設けられ、クレードル側に凸形状のコネクタが設けられる。
【特許文献１】特開２００４−１７９８５８号公報
【発明の開示】
【発明が解決しようとする課題】
【０００３】
ところが、凹形状の接続端子を形成するためには、クレードルと接するデジタルカメラの内部に、クレードルのコネクタの形状に対応するスペースを確保しなければならない。その結果、デジタルカメラ内部における他の部品の配置の設計の自由度が制限され、デジタルカメラ全体のサイズが大型化するという問題があった。
【０００４】
本発明は、以上の問題を解決するものであり、デジタルカメラの小型化を図ることを目的とする。
【課題を解決するための手段】
【０００５】
本発明に係るデジタルカメラは、デジタルカメラ内に着脱自在に装着される内部部品を収納する収納スペースの、内部部品の出入口に開閉可能に設けられる蓋ユニットと、蓋ユニットに形成される開口領域とを備え、内部部品と周辺機器とを接続するための接続手段が開口領域内に位置するよう設けられることを特徴とする。
【０００６】
好ましくは、蓋ユニットは、開口領域の周縁部近傍においてデジタルカメラの筐体に回転可能に支持される回転板部材と、回転板部材に摺動可能に取り付けられ、回転板部材の回転に応じて出入口を覆うよう位置決めされるとき、筐体において蓋ユニットが設けられる側面と同一平面を形成する外蓋部材とを有する。
【０００７】
好ましくは、開口領域は、回転板部材に形成された第１の開口部と、外蓋部材に形成された第２の開口部とで構成される。
【０００８】
好ましくは、第１及び第２の開口部は、蓋ユニットと筐体との係合状態を解除するために回転板部材に設けられるロック解除部材を回避する位置に形成される。
【０００９】
例えば、内部部品は２次電池であり、周辺機器は当該２次電池を充電するためのクレードルであり、接続手段は、クレードルに設けられるコネクタと嵌合する接続端子である。
【００１０】
選択的に蓋ユニットはデジタルカメラの底面に設けてもよい。
【００１１】
接続端子は、筐体内に配設される回路基板に接続され、回路基板は、デジタルカメラ内において着脱可能な記憶媒体と前記２次電池との間に配置される。
【発明の効果】
【００１２】
以上のように、本発明によれば、デジタルカメラの内部部品と周辺機器とを接続するための接続手段がデジタルカメラに開閉可能に設けられる蓋ユニットの開口領域内に設けられる。従って、デジタルカメラ内の省スペース化が図られ、デジタルカメラ全体の小型化が図られる。
【００１３】
蓋ユニットと他の部材をデジタルカメラの同一の側面に設けなければならないとき、蓋ユニットの開口領域に接続手段を配置することにより、他の部材の配置設計の自由度が増す。
【発明を実施するための最良の形態】
【００１４】
図１は、本発明に係る実施形態が適用されるデジタルカメラ１０と、デジタルカメラ１０がマウントされるクレードル２０とを示す斜視図である。デジタルカメラ１０の底面１０Ｂの略中央には三脚を取り付けるための三脚ネジ１１が設けられる。図１中、三脚ネジ１１の左側に外蓋１２が配設される。図１において、外蓋１２は閉じられデジタルカメラ１０の筐体に係合された状態にある。クレードル２０はＤＣアダプタ、ケーブルを介して商用電源に接続される（図示せず）。
【００１５】
クレードル２０のカメラ収容部２１の底面２１Ｂには、所定の間隔を持って形成された３つの突起状の金属片から成るコネクタ２２が底面２１Ｂより突出して設けられる。デジタルカメラ１０の外蓋１２の略中央に位置するクレードル端子１３（接続端子）はコネクタ２２に嵌合する形状を呈する。充電時、デジタルカメラ１０は底面１０Ｂをクレードル２０のカメラ収容部２１の底面２１Ｂに当接するよう取り付けられ、それによりクレードル端子１３とコネクタ２２が接続される。
【００１６】
図２は、デジタルカメラ１０の内部の底面１０Ｂ近傍をデジタルカメラ１０の背面から示す図である。クレードル端子１３を構成する３つの接片１３Ａは、上述のコネクタ２２の３つの突起状の金属片に接する金属片である。３つの接片１３Ａは、デジタルカメラ１０全体を制御するシステムコントローラ等が搭載されたメイン基板１４に接続される。
【００１７】
記録カード１５は、メイン基板１４においてデジタルカメラ１０の背面側の平面に対向する位置に、メイン基板１４と平行となるよう装着される。記録カード１５にはデジタルカメラ１０により撮影された被写体画像の電子データ等が記録される。デジタルカメラ１０には２次電池１６により電力が供給される。２次電池１６は、メイン基板１４においてデジタルカメラ１０の前面側の平面と所定の距離をおいて、メイン基板１４と平行に装着される。すなわち、メイン基板１４は２次電池１６と記録カード１５との間に配置される。
【００１８】
図３は、接片１３Ａに端子カバー１３Ｂを取付けた状態を図２と同じ方向から示す図である。端子カバー１３Ｂの中央部分の構成と３つの接片１３Ａとにより、上述のコネクタ２２に嵌合する形状を有するクレードル端子１３が形成される。
【００１９】
図４は、蓋支持板１７を取り付けた状態をデジタルカメラ１０の前面側から示す図である。蓋支持板１７は、２次電池１６、上述の記録カード１５を覆うように配設される。蓋支持板１７は三脚ネジ１１の近傍において、デジタルカメラ１０の筐体に回転可能に支持される。蓋支持板１７の略中央には矩形の開口部１７Ａが形成される。蓋支持板１７が２次電池１６、記録カード１５を覆うよう位置決めされるとき、この開口部１７Ａからクレードル端子１３が露出するよう、開口部１７Ａの位置は決定される。
【００２０】
上述の外蓋１２は蓋支持板１７に支持され、これら２つの部材により蓋ユニット３０が構成される。図５は外蓋１２を閉じてロックした状態、すなわち図１に示す状態における蓋ユニット３０を、デジタルカメラ１０の内部から示す平面図である。外蓋１２は一対のレール１２Ｂを介して長手方向に沿って摺動可能に蓋支持板１７により支持される。一対のレール１２Ｂは、外蓋１２を安定的に摺動させるために外蓋１２の長手方向に沿った両側部近傍に形成される。外蓋１２を閉じたとき外蓋１２の矩形の開口部１２Ａが蓋支持板１７の開口部１７Ａの内部に位置するよう、各開口部は形成される。
【００２１】
蓋ユニット３０は外蓋１２と蓋支持板１７により、デジタルカメラ１０の筐体に係合する。蓋支持板１７のクリック部材１７Ｃはこの係合状態をロックおよび解除するための弾性部材である。クリック部材１７Ｃは、操作性を考慮し、蓋支持板１７において外蓋１２の略中央に相当する位置づけられる。外蓋１２は、外蓋係合部１２Ｃがカバー１８（図２、３参照）の被係合部１８Ａに係合し、且つクリック部材１７Ｃが外蓋１２の凹部１２Ｄに入りこむことによりロックされる。また、係合部１２Ｃがカバー１８の被係合部１８Ａから外れることで、外蓋１２の係合状態は解除される。その時、外蓋１２のスライドはクリック部材１７Ｃが凹部１２Ｅまで移動した位置で停止される。図５に示されるように開口部１２Ａ、１７Ａはクリック部材１７Ｃを回避する位置に形成される。換言すると、開口部１２Ａ、１７Ａは、外蓋１２の側部に形成されたレール１２Ｂと、外蓋１２の略中央に相当する位置に形成されるクリック部材１７Ｃとの間に形成される。
【００２２】
図６は、外蓋１２を取り付けた状態、すなわち蓋ユニット３０がデジタルカメラ１０の筐体に取り付けられた状態を示す図であり、図１の底面１０Ｂの左端部近傍の拡大図に相当する。図７に示されるように外蓋１２の外周面は底面１０Ｂと略同一平面を形成している。また、クレードル端子１３は、外蓋１２の開口部１２Ａ内に位置している。換言すると、メイン基板１４に取り付けられたクレードル端子１３が露出するよう、開口部１２Ａ及び開口部１７Ａ（図５参照）は形成される。
【００２３】
図７は、クレードル端子１３の近傍をデジタルカメラ１０の前面から示す拡大断面図である。図７に示されるように外蓋１２の外周面は底面１０Ｂと略同一平面を形成している。外蓋１２及び蓋支持板１７はそれぞれ厚みを有しており、蓋ユニット３０全体で所定の厚み（外蓋１２の外周面から蓋支持板１７において外蓋１２と当接する面と反対の平面までの距離）を有している。クレードル端子１３の接片１３Ａはデジタルカメラ１０の底面１０Ｂから所定の寸法だけデジタルカメラ１０の内部へ入り込んだ位置に配置される。この所定の寸法は蓋ユニット３０の厚みと略一致している。
【００２４】
このように、本実施形態によれば、クレードル２０のコネクタ２２と接続されるデジタルカメラ１０のクレードル端子１３が、デジタルカメラ１０の底面１０Ｂの外蓋１２の開口部１２Ａ、蓋支持板１７の開口部１７Ａの内に配置される。そして、クレードル端子１３は、蓋ユニット３０の厚みに相当する寸法だけデジタルカメラ１０の内部に入り込んだ位置に配置される。このような構成により、デジタルカメラ１０の内部で蓋ユニット３０が占めるスペース（デジタルカメラ１０の高さ方向の厚み）が有効利用される。その結果、デジタルカメラ１０内の設計の自由度が増し、デジタルカメラ１０全体の小型化が図られる。
【００２５】
また、デジタルカメラ１０の底面１０Ｂにおいて、クレードル端子１３を外蓋１２の開口部１２Ａ内に位置させることにより、他の部材の配置の自由度が増す。例えば、三脚ネジ１１を外蓋１２以外の任意の位置に配置することが可能である。本実施形態では、これにより三脚ネジ１１を底面１０Ｂの長手方向における略中央に配置している。従って、三脚を使用する際の安定性が向上する。
【図面の簡単な説明】
【００２６】
【図１】本発明に係る実施形態が適用されるデジタルカメラと、デジタルカメラがマウントされるクレードルとを示す斜視図である。
【図２】デジタルカメラの内部の底面近傍をデジタルカメラの背面側から示す図である。
【図３】クレードル端子を構成する接片に端子カバーを取付けた状態を示す図である。
【図４】デジタルカメラの底面近傍に蓋支持板を取り付けた状態をデジタルカメラの前面側から示す図である。
【図５】図１に示す状態における蓋ユニットをデジタルカメラの内部から示す平面図である。
【図６】蓋ユニットをデジタルカメラの筐体に取り付けた状態を示す図である。
【図７】クレードル端子の近傍をデジタルカメラの前面から示す拡大断面図である。
【符号の説明】
【００２７】
１０  デジタルカメラ
１１  三脚ネジ
１２  外蓋
１３  クレードル端子
１７  蓋支持板
２０  クレードル
２２  コネクタ
３０  蓋ユニット
【図１】
2006078801.tif 000003
【図２】
2006078801.tif 000004
【図３】
2006078801.tif 000005
【図４】
2006078801.tif 000006
【図５】
2006078801.tif 000007
【図６】
2006078801.tif 000008
【図７】
2006078801.tif 000009